(57)【要約】【課題】光パネルへのアダプタ受け部材の着脱作業を効率良く行うことが可能なアダプタ受け部材を提供する。【解決手段】第１の方向に延びるように形成されるとともに、アダプタ３０をそれぞれ嵌め合わせるための複数の嵌合孔１５が第１の方向に沿って形成された板状の本体１１と、本体１１の第１の方向における一方の端部の裏面側に設けられ、アダプタパネル２に対して係合される第１弾性係合部１２と、本体１１の第１の方向における他方の端部の裏面側に設けられ、アダプタパネル２に対して係合される第２弾性係合部１３と、を備え、第１弾性係合部１２よりも弾性変形幅が大きく、本体１１の取付孔１５は、本体１１の裏面において、アダプタ３０が第２弾性係合部１３から第１の方向において離れる向きに傾斜するようにアダプタ３０を保持する。【選択図】図２
2014202921.tif 000002
【特許請求の範囲】
【請求項１】
複数の光ファイバが収容される光パネルに設けられたアダプタパネルに対して着脱可能なアダプタ受け部材であって、
第１の方向に延びるように形成されるともに、複数のアダプタをそれぞれ嵌め合わせるための複数の嵌合孔が前記第１の方向に沿って形成された板状の本体と、
前記本体の前記第１の方向における一方の端部の裏面側に設けられ、前記アダプタパネルのアダプタ受け部材用の取付孔に形成された第１係合部に対して係合される第１弾性係合部と、
前記本体の前記第１の方向における他方の端部の裏面側に設けられ、前記取付孔に形成された第２係合部に対して係合される第２弾性係合部と、
を備え、
前記第１の方向において、前記第２弾性係合部の弾性変形量は、前記第１弾性係合部の弾性変形量よりも大きく、
前記本体の嵌合孔は、前記本体の裏面側において、前記アダプタが前記第２弾性係合部から前記第１の方向において離れる向きに傾斜するように前記アダプタを保持することを特徴とするアダプタ受け部材。
【請求項２】
前記本体の中央付近には、前記取付孔に形成された第３係合部に対して係合される中央係合部が設けられていることを特徴とする請求項１に記載のアダプタ受け部材。
【請求項３】
請求項１または２に記載のアダプタ受け部材を備えることを特徴とする光パネル。
【発明の詳細な説明】
【技術分野】
【０００１】
本発明は、光ファイバを収容する光パネルに取り付けられるアダプタ受け部材に関するものである。
【背景技術】
【０００２】
光ファイバを収容する光パネルに取り付けられる部材として、例えば、光コネクタ接続用の複数の光アダプタを取り付けるための光アダプタ取り付け部材が開示されている（例えば、特許文献１）。この光アダプタ取り付け部材は、ネジ等の固定手段によって光パネルの前面パネル片に取り付けられている。
【先行技術文献】
【特許文献】
【０００３】
【特許文献１】実用新案登録第３０８９４７３号公報
【発明の概要】
【発明が解決しようとする課題】
【０００４】
しかしながら、特許文献１に開示された光アダプタ取り付け部材は、ネジ等の別部材からなる固定手段を用いて取り付け作業を行わなければならず、その作業性が低いものであった。
【０００５】
本発明の目的は、光パネルへのアダプタ受け部材の着脱作業を効率良く行うことが可能なアダプタ受け部材を提供することにある。
【課題を解決するための手段】
【０００６】
上記課題を解決するために、本発明のアダプタ受け部材は、複数の光ファイバが収容される光パネルに設けられたアダプタパネルに対して着脱可能なアダプタ受け部材であって、
第１の方向に延びるように形成されるともに、複数のアダプタをそれぞれ嵌め合わせるための複数の嵌合孔が前記第１の方向に沿って形成された板状の本体と、
前記本体の前記第１の方向における一方の端部の裏面側に設けられ、前記アダプタパネルのアダプタ受け部材用の取付孔に形成された第１係合部に対して係合される第１弾性係合部と、
前記本体の前記第１の方向における他方の端部の裏面側に設けられ、前記取付孔に形成された第２係合部に対して係合される第２弾性係合部と、
を備え、
前記第１の方向において、前記第２弾性係合部の弾性変形量は、前記第１弾性係合部の弾性変形量よりも大きく、
前記本体の嵌合孔は、前記本体の裏面側において、前記アダプタが前記第２弾性係合部から前記第１の方向において離れる向きに傾斜するように前記アダプタを保持することを特徴とするものである。
【発明の効果】
【０００７】
本発明のアダプタ受け部材によれば、光パネルへのアダプタ受け部材の着脱作業を効率良く行うことができる。
【図面の簡単な説明】
【０００８】
【図１】本発明の実施形態に係るアダプタ受け部材を備えた光パネルの斜視図である。
【図２】（ａ）は図１に示された光パネルのアダプタパネルを示す正面図であり、（ｂ）は図１に示された光パネルのアダプタ受け部材およびアダプタ受け部材に取り付けられるアダプタを示す上面図であり、（ｃ）はアダプタ受け部材の背面側斜視図であり、（ｄ）はアダプタ受け部材の正面側斜視図である。
【図３】（ａ），（ｂ），（ｃ）はアダプタ受け部材を光パネルのアダプタパネルに取り付ける手順を説明するための図である。
【発明を実施するための形態】
【０００９】
＜本発明の実施形態の概要＞
最初に本発明の実施形態の概要を説明する。
（１）本実施形態に係るアダプタ受け部材は、複数の光ファイバが収容される光パネルに設けられたアダプタパネルに対して着脱可能なアダプタ受け部材であって、
第１の方向に延びるように形成されるともに、複数のアダプタをそれぞれ嵌め合わせるための複数の嵌合孔が前記第１の方向に沿って形成された板状の本体と、
前記本体の前記第１の方向における一方の端部の裏面側に設けられ、前記アダプタパネルのアダプタ受け部材用の取付孔に形成された第１係合部に対して係合される第１弾性係合部と、
前記本体の前記第１の方向における他方の端部の裏面側に設けられ、前記取付孔に形成された第２係合部に対して係合される第２弾性係合部と、
を備え、
前記第１の方向において、前記第２弾性係合部の弾性変形量は、前記第１弾性係合部の弾性変形量よりも大きく、
前記本体の嵌合孔は、前記本体の裏面側において、前記アダプタが前記第２弾性係合部から前記第１の方向において離れる向きに傾斜するように前記アダプタを保持するものである。
【００１０】
上記の構成のアダプタ受け部材によれば、本体の裏面側において、アダプタが第２弾性係合部から第１の方向において離れる向きに傾斜するように取り付けられる。このため、本体の裏面側の第１の方向において、アダプタと第２弾性係合部との間の空間を大きく確保することができる。これにより、光パネルへの第２弾性係合部の係合、および光パネルからの第２弾性係合部の係合の解除を容易に行うことができる。
【００１１】
（２）また、上記の（１）のアダプタ受け部材において、前記本体の中央付近には、前記取付孔に形成された第３係合部に対して係合される中央係合部が設けられていることにしても良い。
【００１２】
上記の構成のアダプタ受け部材によれば、中央部付近に配置されているアダプタから光コネクタを引き抜く際にアダプタ受け部材に対して引き抜く力が加わった場合、アダプタ受け部材の中央付近に生じる歪みを抑制することができる。これにより、アダプタ受け部材が破損したり変形すること、また、他の光コネクタへの接続線に屈曲や引っ張り力が加わることを抑制することができる。
【００１３】
（３）また、光パネルに上記の（１）〜（２）のアダプタ受け部材を備えても良い。
【００１４】
この構成によれば、アダプタ受け部材の交換の際の作業効率が良い光パネルを提供することができる。
【００１５】
＜本発明の実施形態の詳細＞
以下、本発明に係るアダプタ受け部材の実施形態の一例を添付図面に基づいて説明する。
【００１６】
図１は、本発明の実施形態に係るアダプタ受け部材１０（１０ａ〜１０ｆ）が、光パネル１に取り付けられた状態を示す斜視図である。なお、以下の説明において、図に示す矢印Ｆの方向を各構成部材における前方向、矢印Ｂの方向を後方向という。また、矢印Ｕの方向を上方向、矢印Ｄの方向を下方向、矢印Ｌの方向を左方向、矢印Ｒの方向を右方向という。
【００１７】
図１に示すように、アダプタ受け部材１０（１０ａ〜１０ｆ）は、光パネル１の前面に設けられたアダプタパネル２に取り付けられている。ここで、光パネル１とは、例えば、キャビネット（図示省略）に積層状態に配列されて収容される光配線用のパネルである。
【００１８】
アダプタ受け部材１０は、１つのアダプタパネル２に複数個取り付けられている。この実施形態では６個のアダプタ受け部材１０ａ〜１０ｆが取り付けられている。各アダプタ受け部材１０（１０ａ〜１０ｆ）には、左右方向に配列された複数のアダプタ３０が取り付けられている。例えば、アダプタ受け部材１０ａの上段にはＬＣアダプタとしてのアダプタ３０ａ〜３０ｆが取り付けられ、アダプタ受け部材１０ｂにはＳＣアダプタが取り付けられ、アダプタ受け部材１０ｃにはＦＣアダプタが取りつけられている。このように、アダプタ受け部材１０には、異なる種類のアダプタ３０を取り付けることができる。これらのアダプタ３０には、アダプタ受け部材１０（１０ａ〜１０ｆ）の表裏両面側から各アダプタ３０の形態に対応した光コネクタ４０が接続される。
【００１９】
図２は、図１に示すアダプタパネル２に関連する部材を示す。（ａ）はアダプタパネル２を示す正面図である。（ｂ）はアダプタ受け部材１０およびアダプタ受け部材１０に取り付けられるアダプタ３０を示す図である。（ｃ）はアダプタ受け部材１０を裏面側（後側）から見た図であり、（ｄ）はアダプタ受け部材１０を表面側（前側）から見た図である。
【００２０】
図２（ａ）に示すように、アダプタパネル２には、各アダプタ受け部材１０（１０ａ〜１０ｆ）を取り付けるための取付孔３（３ａ〜３ｆ）が形成されている。各取付孔３は、左右方向に長い略長方形状を有している。各取付孔３の左右両端部には、アダプタ受け部材１０が係合される第１係合凹部４ａ（第１係合部の一例）と第２係合凹部４ｂ（第２係合部の一例）とが形成されている。また、各取付孔３の左右方向における略中央部の上下には、アダプタ受け部材１０が係合される係合凸部５ａ，５ｂ（中央係合部の一例）が形成されている。
【００２１】
図２（ｂ）〜（ｄ）に示すように、アダプタ受け部材１０は、板状の本体１１と、本体１１の左右両端部に形成された第１弾性係合部１２，第２弾性係合部１３と、本体１１の略中央部に形成された中央係合部１４ａ，１４ｂを備えている。
【００２２】
本体１１は、左右方向に長い略長方形状を有しており、アダプタパネル２の取付孔３よりもわずかに大きく形成されている。アダプタ受け部材１０の全体は、樹脂等の弾性部材により一体的に形成されている。本体１１には、アダプタ３０を取り付けるためのアダプタ嵌合孔（嵌合孔の一例）１５ａ〜１５ｆ，１６ｂ〜１６ｆが形成されている。アダプタ嵌合孔１５ａ〜１５ｆ，１６ａ〜１６ｆは、２段（上段と下段）に形成され、本体１１が延びる左右方向（第１の方向の一例）に配列されている。
【００２３】
第１弾性係合部１２は、本体１１の裏面（後側の面）に形成されている。第１弾性係合部１２は、本体１１の左右方向における本体１１の一方の端部に設けられている。第１弾性係合部１２は、本体１１の裏面から略垂直に伸びるように設けられた係止構造を有する部材である。第１弾性係合部１２は、左右方向に弾性変形する。
【００２４】
第２弾性係合部１３は、本体１１の裏面に形成されている。第２弾性係合部１３は、本体１１の左右方向における本体１１の第１弾性係合部１２とは逆の他方の端部に設けられている。第２弾性係合部１３は、本体１１の裏面から略垂直に伸びた後に端部側へ前屈するように折れ曲がったラッチ構造を有する部材である。
【００２５】
第２弾性係合部１３は、裏面から略垂直に伸びた部分が左右方向に弾性変形する。また、第２弾性係合部１３は、その先端部が第１弾性係合部１２側に向けて変位するように弾性変形可能である。左右方向における第２弾性係合部１３の弾性変形量は、左右方向における第１弾性係合部１２の弾性変形量よりも大きい。
【００２６】
中央係合部１４ａ，１４ｂは、本体１１の裏面に形成されている。中央係合部１４ａは本体１１の左右方向における略中央部の上側に形成され、中央係合部１４ｂはその下側に形成されている。中央係合部１４ａ，１４ｂは、本体１１の裏面から略垂直に伸びるとともに第１弾性係合部１２の設けられている端部側へ略直角に折れ曲がった形状（Ｌ字状）を有している。さらに、中央係合部１４ａは、Ｌ字状の下側の側面のみが塞がれ、中央係合部１４ｂは、Ｌ字状の上側の側面のみが塞がれた形状を有している。
【００２７】
本体１１の各アダプタ嵌合孔１５（１５ａ〜１５ｆ），１６（１６ａ〜１６ｆ）は、本体１１を前後方向へ貫通する取付孔であり、本体１１を左右方向に対して斜めに貫通するように形成されている。これらのアダプタ嵌合孔１５，１６に挿通された各アダプタ３０は、本体１１の左右方向に対して傾いた姿勢で本体１１に保持される（図２（ｂ）参照）。
【００２８】
アダプタ嵌合孔１５，１６は、アダプタ３０が前後方向に沿う姿勢で保持される場合と比較して、本体１１の裏面において、アダプタ３０が第２弾性係合部１３から左右方向において離れる向きに傾斜した姿勢で取り付けるように形成されている。言い替えれば、アダプタ嵌合孔１５，１６は、本体の裏面において、挿通されたアダプタ３０を左右方向において第１弾性係合部１２に近づける向きに傾斜した姿勢で取り付けられるように形成されている。
【００２９】
次に、図３（ａ）〜（ｃ）に基づいて、アダプタ３０の固定されたアダプタ受け部材１０を、光パネル１のアダプタパネル２に取り付ける手順を説明する。
【００３０】
図３（ａ）は、アダプタ受け部材１０がアダプタパネル２に取り付けられる前の状態を表す図であり、アダプタパネル２を裏側（後方向）からみた図である。
【００３１】
先ず、アダプタパネル２の表側（前方向）から、アダプタパネル２のアダプタ受け部材用の取付孔３をアダプタ受け部材１０によって塞ぐようにアダプタ受け部材１０の裏面側を近づけていく。そして、アダプタ受け部材１０の第１弾性係合部１２を取付孔３の第１係合凹部４ａに突き当てるとともに、アダプタ受け部材１０の中央係合部１４ａと１４ｂをそれぞれ取付孔３の係合凸部５ａと５ｂに掛ける。
【００３２】
続いて、図３（ｂ）に示すように、アダプタ受け部材１０の本体１１における第２弾性係合部１３の設けられている側を、アダプタパネル２から遠ざける方向へ撓ませながら、アダプタ受け部材１０を第１弾性係合部１２の設けられている方向（左方向）にスライドさせる。このスライドによって、第１弾性係合部１２は左右方向に弾性的に変位しつつ第１係合凹部４ａに係合し、中央係合部１４ａと１４ｂは係合凸部５ａと５ｂに係合して取り付け状態が保持される。
【００３３】
続いて、第１弾性係合部１２を弾性変形させた状態のままで、図３（ｃ）に示すように、撓ませた本体１１の第２弾性係合部１３側の撓みを戻してアダプタパネル２に近づけていき、取付孔３内にアダプタ３０、第２弾性係合部１３等を挿通させていく。これにより、第２弾性係合部１３は、取付孔３の縁に押圧されて弾性的にアダプタ３０寄りに変位し、取付孔３を通過した後に元の形状に戻って、第２係合凹部４ｂに係合する。この係合により、アダプタパネル２に対するアダプタ受け部材１０の取り付け作業が完了する。
【００３４】
取り付けられたアダプタ受け部材１０は、第１弾性係合部１２、第２弾性係合部１３、および中央係合部１４ａ，１４ｂの係合によってアダプタパネル２に対する前方向への移動が規制される。中央係合部１４ａ，１４ｂは、アダプタ受け部材１０の中央部における前方向への撓みを防止する撓み防止ツメとして機能する。
【００３５】
また、アダプタ受け部材１０は、第１弾性係合部１２と中央係合部１４ａ，１４ｂとによってアダプタパネル２に対する左方向への移動が規制され、第２弾性係合部１３によって右方向への移動が規制される。
【００３６】
また、アダプタ受け部材１０は、中央係合部１４ａ，１４ｂによってアダプタパネル２に対する上下方向への移動が規制される。
【００３７】
さらに、アダプタ受け部材１０は、アダプタ受け部材用の取付孔３よりもひと回り大きく形成された本体１１の裏面における外周部が、アダプタパネル２における取付孔３の外周部に当接することによって、後方向への移動が規制される。
【００３８】
また、取り付けたアダプタ受け部材１０をアダプタパネル２から取り外す場合には、以下のようにして取り外すことができる。
【００３９】
アダプタパネル２の裏面側（後側）から、第２弾性係合部１３における端部側へ前屈するように折れ曲がった部分を外側から左右方向内側へ摘むことにより第２弾性係合部１３を弾性変形させる。これにより、第２弾性係合部１３の第２係合凹部４ｂに対する係合が解除される。この解除された状態において、アダプタ受け部材１０の本体１１における第２弾性係合部１３側をアダプタパネル２から遠ざける方向へ撓ませる。そして、撓ませた状態でアダプタ受け部材１０を第２弾性係合部１３の設けられている方向（右方向）へスライドさせる。これにより第１弾性係合部１２および中央係合部１４ａ，１４ｂの係合が解除され、アダプタパネル２からアダプタ受け部材１０を取り外すことができる。
【００４０】
以上のような構成により、本実施形態のアダプタ受け部材１０によれば、アダプタ受け部材１０に取り付けられた各アダプタ３０（３０ａ〜３０ｆ）は、本体１１の裏面において、弾性変形量の大きい第２弾性係合部１３から左右方向において離れる向きに傾斜する姿勢で保持されている。この向きにアダプタ３０（３０ａ〜３０ｆ）を傾斜させることにより、第２弾性係合部１３とアダプタ３０ｆとの間に、図２（ｂ）の矢印Ｓで示されるような、大きな空間を確保することができる。このため、作業者は、アダプタ受け部材１０の取り外し作業の際に、アダプタパネル２の裏面側（後側）から第２弾性係合部１３を摘み易い。従って、アダプタ受け部材１０の取り外し作業を容易に行うことができ、作業性を向上させることができる。また、アダプタ受け部材１０以外の別部材、例えば、ネジ、釘等を用いて作業を行う必要がないので、アダプタパネル２へのアダプタ受け部材１０の着脱の作業性を向上させることができる。
【００４１】
また、第２弾性係合部１３の変動可能な領域（空間）を第２弾性係合部１３とアダプタ３０ｆとの間に設けるに際して、各アダプタ３０（３０ａ〜３０ｆ）を第２弾性係合部１３から左右方向において離れる向きに傾斜した姿勢で保持しているので、各アダプタ３０を第２弾性係合部１３に近づく向きに傾斜させて取り付けた場合と比べて、アダプタ３０ｆの位置を第２弾性係合部１３のより近くに配置させることができる。これにより、アダプタ受け部材１０の左右方向（幅方向）の大きさを小さくすることができる。
【００４２】
また、アダプタ受け部材１０の第１弾性係合部１２側は、第１弾性係合部１２をアダプタパネル２の第１係合凹部４ａに係合させる（引っ掛ける）だけであり、第１弾性係合部１２の弾性変形幅は小さい。このため、アダプタ３０ａを第１弾性係合部１２に近接して配置させることができるので、アダプタ受け部材１０の左右方向（幅方向）の大きさを小さくすることができる。
【００４３】
また、中央部付近に配置されているアダプタ３０ｃ，３０ｄ等から光コネクタ４０を抜く際にアダプタ受け部材１０に対し前方向へ引く力が加わった場合でも、中央係合部１４ａと１４ｂがそれぞれ係合凸部５ａと５ｂに係合しているので、アダプタ受け部材１０の撓みを防止することができる。これにより、光コネクタ４０を抜く際の張力を、他のアダプタ３０に挿し込まれている光コネクタ４０に加わらないようにすることができ、アダプタ受け部材１０が破損したり変形したりすること、また、他の光コネクタへの接続線に屈曲や引っ張り力が加わること等を抑制することができる。
【００４４】
なお、本発明は、上述した第１〜２の実施形態に限定されず、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００４５】
１：光パネル、２：アダプタパネル、３（３ａ〜３ｆ）：アダプタ受け部材用の取付孔、４ａ：第１係合凹部、４ｂ：第２係合凹部、５ａ，５ｂ：係合凸部、１０（１０ａ〜１０ｆ）：アダプタ受け部材、１１：本体、１２：第１弾性係合部、１３：第２弾性係合部、１４ａ，１４ｂ：中央係合部、１５ａ〜１５ｆ，１６ｂ〜１６ｆ：アダプタ嵌合孔、３０（３０ａ〜３０ｆ）：アダプタ、４０：光コネクタ
【図１】
2014202921.tif 000003
【図２】
2014202921.tif 000004
【図３】
2014202921.tif 000005